【手続補正書】
【提出日】平成28年6月27日(2016.6.27)
【手続補正１】
【補正対象書類名】明細書
【補正対象項目名】００５７
【補正方法】変更
【補正の内容】
【００５７】
やはり本発明によれば、そして所与の本体４００とその適合蓋体４１０および密閉手段４２０との整合を可能にするため、本体４００は、本体４００の残部と異なる色であり、実際には適合蓋体４１０（着色の通気手段４４０を備える）および適合密閉手段４２０と同じ色のものである少なくとも一つのエリア４３０を、好ましくはその周囲側壁部４０２に含む。このような仕組みでは、例えばいくつかの異なるサイズおよび形状の本体４００と蓋体４１０と密閉手段４２０とを含む引き出しその他から、最初に、使用者要件を満たす特定のサイズおよび形状の本体４００を、次に適合蓋体４１０（通気手段を備える）と独立した密閉手段４２０とを選択することは、購入予定者にとって簡単な作業となる。これは、この汎用タイプの先行技術容器には必要な、時にして「でたらめな」きわめてもどかしい手順を回避する。
【手続補正２】
【補正対象書類名】特許請求の範囲
【補正対象項目名】全文
【補正方法】変更
【補正の内容】
【特許請求の範囲】
【請求項１】
保管容器であって、
底壁部と少なくとも一つの側壁部とを含む本体部材であり、前記少なくとも一つの側壁部が本体部材から実質上は上向きに延在する、本体部材と、
前記本体部材に連結され前記部材と協働して前記部材に被覆関係で交差延在するのに適した蓋体と、
を含み、
前記本体部材と前記蓋体とは実質上は相補的な形状および形態のものであり、前記本体部材は特定形状の（ｓｈａｐｅｄ）リムまたはリップを含み、そしてこのリムまたはリップは、少なくとも一つの側壁部の最上部の自由端部に且つその周囲全体にわたって延在するものであり、前記蓋体は、前記本体部材のリムまたはリップと実質上は相補的な形状で且つその周囲全体にわたって延在するリムまたはリップを有し、使用時には前記被覆関係で前記本体部材の上に載置するのに適合したものであり、
そして、前記本体部材および前記蓋体の各々が、それぞれ前記本体部材および蓋体の色と異なる色の周囲バンドまたはストリップを含み、前記本体部材および前記蓋体の各々の前記バンドまたはストリップの色が同じである、
保管容器。
【請求項２】
前記本体部材および前記蓋体の各々が主に透明な材料で構成され、そして、前記した色の異なるバンドまたはストリップが、前記本体部材および前記蓋体の周囲の少なくとも一部にわたって延在する、請求項１に記載の容器。
【請求項３】
前記した色の異なるバンドまたはストリップが、前記本体部材の周囲全体にわたって延在する、請求項２に記載の容器。
【請求項４】
前記したバンドまたはストリップが、前記蓋体の周囲全体にわたって延在する、請求項３に記載の容器。
【請求項５】
前記したバンドまたはストリップが、同時成形作業（ｃｏ−ｍｏｕｌｄｉｎｇ  ｏｐｅｒａｔｉｏｎ）で前記本体部材および前記蓋体と結合／連結（ｊｏｉｎｅｄ／ａｓｓｏｃｉａｔｅｄ）される、上記した請求項のいずれか１項に記載の容器。
【請求項６】
前記バンドまたはストリップが、前記本体部材および前記蓋体の構成材料とは異なる材料のものである、上記した請求項のいずれか１項に記載の容器。
【請求項７】
前記本体部材および前記蓋体の各々が成形可能なプラスチック材料から形成される、請求項６に記載の容器。
【請求項８】
前記蓋体が通気手段（ｖｅｎｔｉｎｇ  ｍｅａｎｓ）を含むものであり、且つ通気手段は前記本体部材および前記蓋体のバンドまたはストリップと同じ色を有する材料から構成されるものである、請求項７に記載の容器。
【請求項９】
前記本体部材と前記蓋体と前記通気手段とが主にプラスチック材料で構成される、請求項８に記載の容器。
【請求項１０】
前記本体部材と前記蓋体とがガラスから構成される、請求項１〜８のいずれか１項に記載の容器。
【請求項１１】
前記本体部材の前記バンドまたはストリップが周囲リップまたはフランジと連結され、前記組み合わせが同時成形作業で形成されるものであり、且つ前記蓋体の前記バンドまたはストリップが周囲リップまたはフランジと連結され、前記組み合わせが同時成形作業で形成されるものである、上記した請求項のいずれか１項に記載の容器。
【請求項１２】
使用時に前記本体部材の前記少なくとも一つの側壁部および前記蓋体の両方の間に介在して協働することにより、前記容器に密閉改良を提供するのに適した密閉手段をさらに含み、前記密閉手段が、前記本体部材および前記蓋体のそれぞれの色と異なる色のものであり、そして、前記少なくとも一つの側壁部が前記本体部材に対して９０°以外の角度で前記部材から上向きに延在するものである、請求項１１に記載の容器。
【請求項１３】
前記少なくとも一つの側壁部のバンドまたはストリップが、前記本体部材の前記少なくとも一つの側壁部と前記底壁部との接合部あるいはその近傍に配置され、且つ前記本体部材に対して実質上は垂直に延在し、そして前記バンドまたはストリップが、前記容器の内容物の占める量についての表示を提供するマーキングまたは印を含むものである、上記した請求項のいずれか１項に記載の容器。
【請求項１４】
前記密閉手段が非剛性エラストマー材料から構成され、そして、前記非剛性エラストマー材料がシリコンまたはシリコンゴムである、請求項１２又は１３に記載の容器。
【請求項１５】
保管容器であって、
底壁部を含み、そして、前記底壁部から実質上は上向きに延在して周囲リムを終端とする少なくとも一つの側壁部を含む、本体部材と、
前記本体部材に連結され前記部材と協働して前記部材に被覆関係で交差延在するのに適した蓋体と、そして、
使用時に前記本体部材の前記少なくとも一つの側壁部および前記蓋体の両方の間に介在して協働することで前記容器に密閉改良を提供するのに適した密閉手段（ｓｅａｌｉｎｇ  ｍｅａｎｓ）と、
を含み、
前記密閉手段が前記容器本体部材および蓋体のそれぞれの色と異なる色のものであり、前記本体部材がさらに、その部材の前記少なくとも一つの側壁部に、それと一体的に形成される（ｔｅｒｍｅｄ  ｉｎｔｅｇｒａｌｌｙ  ｔｈｅｒｅｗｉｔｈ）かあるいはそれと連結されるエリアを少なくとも一つ含み、且つ該エリアは前記密閉手段と同じ色のものであり、そして、前記少なくとも一つの側壁部が、前記本体部材に対して９０°以外の角度で該部材から上方に向って延在するものである、
保管容器。
【請求項１６】
前記少なくとも一つの側壁部の前記少なくとも一つの着色エリアが、前記少なくとも一つの側壁部と前記底壁部との接合部またはその近傍に配置され、前記底壁部に対して実質上は垂直に延在し、そして、前記少なくとも一つの着色エリアが、前記容器の内容物が占める量についての表示を提供するマーキングまたは印を含む、請求項１５に記載の容器。
【請求項１７】
前記蓋体が通気手段を含み、そして、前記通気手段が前記容器本体部材の前記密閉手段および／または前記少なくとも一つの着色エリアと同じ色を有する材料から構成される、請求項１５又は１６に記載の容器。
【請求項１８】
前記本体部材と蓋体と通気手段とが主にプラスチック材料で構成される、請求項１７に記載の容器。
【請求項１９】
前記本体部材および蓋体がガラスから構成される、請求項１５〜１７のいずれか１項に記載の容器。
【請求項２０】
前記密閉手段が非剛性エラストマー材料から構成され、そして、前記非剛性エラストマー材料がシリコンまたはシリコンゴムである、請求項１５〜１９のいずれか１項に記載の容器。
【請求項２１】
容器であって、
容器本体と、使用時に密閉関係で前記容器本体と協働するのに適した容器蓋体と、
を含み、
前記容器本体と容器蓋体とは実質上は相補的な形状および形態をなすものであり、前記容器本体が特定形状の周囲リムを含み、前記容器蓋体が、前記容器本体のリムと実質上は相補的な形状をなす周囲リムを有し、前記容器蓋体が、使用時に前記密閉関係で前記容器本体にかぶせるかその上に載置するのに適合しており、そして、前記容器本体および前記容器蓋体の各々が、前記容器本体および容器蓋体のそれぞれの色と異なる色の周囲バンドまたはストリップを含み、前記容器本体および容器蓋体の各々の前記バンドまたはストリップの前記色が同じであり、前記周囲バンドまたはストリップが、前記容器本体および容器蓋体の構成材料と異なる材料のものであり、前記周囲バンドまたはストリップが、同時成形作業で前記容器本体および容器蓋体と結合／連結される、
容器。
【請求項２２】
前記容器本体および容器蓋体の各々がプラスチック、成形可能材料から形成され、そして、前記蓋体が通気手段を含み、前記通気手段が前記容器本体および前記蓋体の前記周囲バンドまたはストリップと同じ色を有する材料から構成される、請求項２１に記載の容器。
【請求項２３】
前記容器本体と蓋体と通気手段とが主にプラスチック材料で構成される、請求項２２に記載の容器。
【請求項２４】
前記容器本体および容器蓋体がガラスから構成される、請求項２１又は２２に記載の容器。
【請求項２５】
前記容器本体の前記周囲バンドまたはストリップが前記容器本体の周囲リップまたはフランジと連結され、前記組み合わせが同時成形作業で形成され、そして、前記容器蓋体の前記周囲バンドまたはストリップが前記容器蓋体の周囲リップまたはフランジと連結され、前記組み合わせが同時成形作業で形成される（ｆｏｒｍｅｄ）、請求項２１〜２４のいずれか１項に記載の容器。
【請求項２６】
前記蓋体が成形可能なプラスチック材料から形成され、前記本体部材がガラスから構成される、請求項１〜８のいずれか１項に記載の容器。
【請求項２７】
前記容器蓋体（ｃｏｎｔａｉｎｅｒ  ｌｉｄ）が成形可能なプラスチック材料から構成され、前記容器本体（ｃｏｎｔａｉｎｅｒ  ｂａｓｅ）がガラスから構成される、請求項１５〜１７のいずれか１項に記載の容器。
【手続補正３】
【補正対象書類名】図面
【補正対象項目名】図８
【補正方法】変更
【補正の内容】
【図８】
2015534523.tif 000001
【手続補正４】
【補正対象書類名】図面
【補正対象項目名】図９
【補正方法】変更
【補正の内容】
【図９】
2015534523.tif 000002
【手続補正５】
【補正対象書類名】図面
【補正対象項目名】図１５
【補正方法】変更
【補正の内容】
【図１５】
2015534523.tif 000003
【手続補正６】
【補正対象書類名】図面
【補正対象項目名】図１６
【補正方法】変更
【補正の内容】
【図１６】
2015534523.tif 000004
【手続補正７】
【補正対象書類名】図面
【補正対象項目名】図１７
【補正方法】変更
【補正の内容】
【図１７】
2015534523.tif 000005
【手続補正８】
【補正対象書類名】図面
【補正対象項目名】図２１
【補正方法】変更
【補正の内容】
【図２１】
2015534523.tif 000006
【手続補正９】
【補正対象書類名】図面
【補正対象項目名】図２６
【補正方法】変更
【補正の内容】
【図２６】
2015534523.tif 000007
【手続補正１０】
【補正対象書類名】図面
【補正対象項目名】図２７
【補正方法】変更
【補正の内容】
【図２７】
2015534523.tif 000008
【手続補正１１】
【補正対象書類名】図面
【補正対象項目名】図２８
【補正方法】変更
【補正の内容】
【図２８】
2015534523.tif 000009
【手続補正１２】
【補正対象書類名】図面
【補正対象項目名】図２９
【補正方法】変更
【補正の内容】
【図２９】
2015534523.tif 000010
【手続補正１３】
【補正対象書類名】図面
【補正対象項目名】図３０
【補正方法】変更
【補正の内容】
【図３０】
2015534523.tif 000011
【手続補正１４】
【補正対象書類名】図面
【補正対象項目名】図３０ａ
【補正方法】変更
【補正の内容】
【図３０ａ】
2015534523.tif 000012
【手続補正１５】
【補正対象書類名】図面
【補正対象項目名】図３２
【補正方法】変更
【補正の内容】
【図３２】
2015534523.tif 000013
【手続補正１６】
【補正対象書類名】図面
【補正対象項目名】図３３
【補正方法】変更
【補正の内容】
【図３３】
2015534523.tif 000014
【手続補正１７】
【補正対象書類名】図面
【補正対象項目名】図３４
【補正方法】変更
【補正の内容】
【図３４】
2015534523.tif 000015
【手続補正１８】
【補正対象書類名】図面
【補正対象項目名】図３８
【補正方法】変更
【補正の内容】
【図３８】
2015534523.tif 000016
【手続補正１９】
【補正対象書類名】図面
【補正対象項目名】図３９
【補正方法】変更
【補正の内容】
【図３９】
2015534523.tif 000017